(57)【要約】  本発明は、相手側プラグインコネクタ部品に接続させるためのプラグインコネクタ部品であって、相手側プラグインコネクタ部品の関連する相手側接点要素に電気的に接触させるための接点要素を備えているプラグインコネクタ部品に関する。接点要素は、相手側プラグインコネクタ部品の相手側接点要素に接触させるための接点部分と、電流を伝送するために負荷ラインに接続させるためのシャンク部分と、を備えている。チャネルが、接点要素の内部において延在しており、少なくとも１つの冷却剤配管が、接点要素を通じて冷却剤を案内するために、チャネルに流通可能に接続されている。従って、プラグインコネクタ部品は、例えば電気自動車を充電するための充電システムで利用するための、大きい通電容量を有する接点要素を有している。
2019511093.tif 000002
【特許請求の範囲】
【請求項１】
相手側プラグインコネクタ部品（４０）に接続させるためのプラグインコネクタ部品（３）であって、
前記相手側プラグインコネクタ部品（４０）の関連する相手側接点要素（４００）に電気的に接触させるための接点要素（３１，３２）であって、前記相手側プラグインコネクタ部品（４０）の前記相手側接点要素（４００）に接触させるための接点部分（３１０）と、電流を伝送するために負荷ライン（２１，２２）に接続させるためのシャンク部分（３１２）と、を備えている前記接点要素（３１，３２）を備えている前記プラグインコネクタ部品（３）において、
チャネル（３１７）が、前記接点要素（３１，３２）の内部において延在しており、少なくとも１つの冷却剤配管（２３〜２６）が、前記接点要素（３１，３２）を通じて冷却剤を案内するために、前記チャネル（３１７）に流通するように接続可能とされることを特徴とするプラグインコネクタ部品（３）。
【請求項２】
前記接点要素（３１，３２）が、前記接点部分（３１０）と前記シャンク部分（３１２）とを形成している一体的な本体を備えており、前記チャネル（３１７）が、前記接点要素（３１，３２）の内部に形成されていることを特徴とする請求項１に記載のプラグインコネクタ部品（３）。
【請求項３】
前記シャンク部分（３１２）が、円筒状とされることを特徴とする請求項１又は２に記載のプラグインコネクタ部品（３）。
【請求項４】
前記チャネル（３１７）が、前記シャンク部分（３１２）と同軸に延在していることを特徴とする請求項３に記載のプラグインコネクタ部品（３）。
【請求項５】
前記チャネル（３１７）が、第１の冷却剤配管（２３，２４）に流通するように接続可能とされる第１の端部と、第２の冷却剤配管（２５，２６）が流通するように接続可能とされる第２の端部とを備えており、
前記チャネル（３１７）が、前記第１の端部と前記第２の端部との間において冷却剤を案内するように構成されていることを特徴とする請求項１〜４のいずれか一項に記載のプラグインコネクタ部品（３）。
【請求項６】
前記接点要素（３１，３２）が、前記シャンク部分（３１２）の内側において径方向に延在している取付コネクタ（３１３）を備えており、前記第１の冷却剤配管（２３，２４）が、前記チャネル（３１７）に流通するように接続するために、前記取付コネクタ（３１３）に接続可能とされることを特徴とする請求項５に記載のプラグインコネクタ部品（３）。
【請求項７】
接続要素（３１５）が、前記接点要素（３１，３２）に取り付けられており、前記チャネル（３１７）に流通可能に接続されており、
前記第２の冷却剤配管（２５，２６）が、前記チャネル（３１７）に流通するように接続するために、前記接続要素（３１５）に接続されていることを特徴とする請求項５又は６に記載のプラグインコネクタ部品（３）。
【請求項８】
請求項１〜７のいずれか一項に記載のプラグインコネクタ部品（３）と、前記プラグインコネクタ部品（３）に接続されているケーブル（２）であって、前記接点要素（３１，３２）及び少なくとも１つの冷却剤配管（２３〜２６）に接続されている負荷ライン（２１，２２）を案内する前記ケーブル（２）と、を備えていることを特徴とするアセンブリ。
【請求項９】
前記負荷ライン（２１，２２）が、導電性配線ケース（２１０）を備えており、
冷却剤配管（２３，２４）が、前記導電性配線ケース（２１０）の内側において前記導電性配線ケース（２１０）と同軸に案内されていることを特徴とする請求項８に記載のアセンブリ。
【請求項１０】
前記導電性配線ケース（２１０）が、前記導電性配線ケース（２１０）が少なくとも部分的に前記シャンク部分（３１２）の周囲を囲むように、前記接点要素（３１，３２）の前記シャンク部分（３１２）に押圧されていることを特徴とする請求項９に記載のアセンブリ。
【請求項１１】
前記冷却剤配管（２３，２４）が、前記導電性配線ケース（２１０）の内側において前記導電性配線ケース（２１０）と同軸に案内されており、前記冷却剤配管（２３，２４）が前記接点要素（３１，３２）の前記チャネル（３１７）に流通可能に接続されるように、前記接点要素（３１，３２）に接続されていることを特徴とする請求項９又は１０に記載のアセンブリ。
【請求項１２】
さらなる冷却剤配管（２５，２６）が、前記ケーブル（２）の内部に案内されており、前記負荷ライン（２１，２２）の外側で延在しており、前記さらなる冷却剤配管（２５，２６）が前記チャネル（３１７）に流通可能に接続されるように前記接点要素（３１，３２）に接続されていることを特徴とする９〜１１のいずれか一項に記載のアセンブリ。
【発明の詳細な説明】
【技術分野】
【０００１】
本発明は、請求項１のおいて書きにおける、相手側プラグインコネクタ部品に接続するためのプラグインコネクタに関する。
【０００２】
このようなプラグインコネクタ部品は、相手側プラグインコネクタ部品の関連する相手側接点要素と電気的に接触するための接点要素を備えている。接点要素は、相手側接点要素と接触させるための接触部分と、電流を伝送するための電力線に接続させるためのシャンク部分とを備えている。
【０００３】
このようなプラグインコネクタ部品は、特に電動車両（電気自動車とも呼称される）を充電するための充電プラグや充電ソケットとして利用可能とされる。この場合には、例えばケーブルは、充電ステーションに接続されており、充電ステーションと車両との間に電気的接続を確立するために、車両の関連する相手側プラグインコネクタ部品に差込可能とされる充電プラグの形態をしたプラグインコネクタ部品を備えている。
【０００４】
特に充電電流は、直流又は交流として伝送可能とされるが、特に充電電流が高アンペア数の、例えば２００Ａより高い、３００Ａより高い、又は３５０Ａの直流の形態とされる場合には、充電電流によって、ケーブル及びケーブルに接続されているプラグインコネクタ部品が加熱される。
【０００５】
特許文献１に開示される充電ケーブルは、冷却剤のための供給配管及び戻り配管を具備する冷却剤配管を有しており、これにより冷却材を充電ケーブルに流入及び流出させることができる。特許文献１に開示される冷却剤配管は、車両のエネルギー貯蔵室からのエネルギー損失に起因する熱を発散させるために、及び充電ケーブル自体を冷却するために利用される。
【０００６】
電気自動車を充電するための充電システムでは、熱が、充電プラグを充電ステーションに接続するためのケーブルのみならず、例えば充電プラグが充電ソケットに差し込まれた場合に確立される電気自動車の充電ソケットの、例えば電気接点を関連する相手側接点要素に接続させるための接点要素のような、例えば充電プラグ、特に充電ソケットにおいて発生する。このような接点要素は、例えば銅材料のような導電性金属材料から作られており、充電電流が接点要素を介して流れる場合に加熱される。当該接点要素の寸法は、接点要素が十分な通電容量を有するように且つ接点要素の加熱が制限されるように、伝送すべき充電電流に基づいて決定される。この場合には、伝送すべき充電電流が大きくなるに従って、接点要素の寸法も大きくなる。
【０００７】
しかしながら、関連する設備空間の要件、重量、及びコストを考慮しつつ、充電電流の増大に抗して接点要素の大きさを拡大することについては、制限が設けられている。従って、比較的小さい接点要素を介して高い充電電流を伝送する必要がある。
【０００８】
特許文献２に開示される電気自動車を充電するための充電システムでは、冷却剤配管が、充電ケーブルの内側に案内されており、充電ケーブルによって、熱が、充電ケーブルに接続されているプラグインコネクタ部品の領域から発散される。
【０００９】
特許文献３に開示される接点要素では、冷却リブが、接点要素のシャンクに配置されている。
【先行技術文献】
【特許文献】
【００１０】
【特許文献１】独国特許第１０２０１０００７９７５号明細書
【特許文献２】国際公報第２０１５／１１９７９１号パンフレット
【特許文献３】米国特許第８８３５７８２号明細書
【発明の概要】
【発明が解決しようとする課題】
【００１１】
本発明の解決すべき課題は、例えば電気自動車を充電するための充電システムで利用するための、高い通電容量を有することができる接点要素を有しているプラグインコネクタ部品を提供することである。
【課題を解決するための手段】
【００１２】
当該課題は、請求項１の特徴を有する主題によって解決される。
【００１３】
本発明では、プラグインコネクタ部品は、接点要素の内部において延在しているチャネルであって、少なくとも１つの冷却剤配管が、接点要素を通じて冷却剤を案内するために、チャネルに流通するように接続可能とされる、チャネルを備えている。
【００１４】
チャネルを接点要素に設けることによって、接点要素を通じて冷却剤を直接案内することができる。このようにして、プラグインコネクタ部品が動作している際に電流が接点要素を介して導かれた場合に発熱部分を直接冷却することができる。
【００１５】
プラグインコネクタ部品が例えば充電プラグとして構成されている場合に、及び、例えば直流電流のような充電電流を伝送するための負荷ラインが接点要素に接続されている場合に、充電プロセスの最中に接点要素において熱が発生する。冷却剤が接点要素のチャネルを通じて導かれるので、熱が接点要素において吸収され、接点要素から発散されるので、大きい通電容量を確保しつつ、接点要素の寸法を比較的小さくすることができる。
【００１６】
接点要素は、好ましくは金属材料から作られており、例えば接触ソケットや接触ピースの形態をした接触部分とシャンク部分とを形成している一体的な本体を備えている。チャネルは、例えば一体的な本体に穴を形成することによって、一体的な本体に形成されている。従って、チャネルは、一体的な本体の内部に延在しているので、冷却剤は、一体的な本体を通じて導入可能とされ、一体的な本体の熱を相殺することができる。
【００１７】
接点要素は、略円筒状の基本形状を有している。従って、負荷ラインを接点要素に接続するためのシャンク部分も円筒状であるので、負荷ラインは、接点要素と電気的に接触させるために、シャンク部分に差し込まれるか、又は押し付けられる。
【００１８】
この場合には、チャネルが、例えばシャンク部分と同軸に延在しているので、チャネルは、接点要素の内部において軸線方向に延在しており、冷却剤は、接点要素を通じて長手方向に流れることができる。
【００１９】
チャネルは、冷却剤のための閉じたガイドを備えているので、冷却剤は、チャネルに流通可能に接続されている一方の冷却剤配管を介してチャネルの内部に導入可能とされ、チャネルに流通可能に接続されている他方の冷却剤配管を介してチャネルから排出可能とされる。従って、チャネルを通じた冷却剤流れが確立され、当該冷却剤流れによって、熱が接点要素において吸収され、案内され排出される。
【００２０】
例えば、チャネルは、第１の冷却剤配管に流通するように接続可能とされる第１の端部と、第２の冷却剤配管が流通するように接続可能とされる第２の端部とを備えている。チャネルが、第１の端部と第２の端部との間において冷却剤を案内するように構成されているので、チャネルは、接点要素の内部に流路を備えており、冷却剤は、接点要素を通じて流れることができる。
【００２１】
接点要素が、第１の冷却剤配管に接続するために、シャンク部分の内側において径方向に延在している取付コネクタを備えている。取付コネクタが、例えばシャンク部分と同軸に配置されており、シャンク部分が、例えば中空シリンダーを形成しており、冷却剤配管は、径方向外方のシャンク部分と径方向内方の取付コネクタとの間に形成された間隙に差し込み可能とされるので、冷却剤配管と取付コネクタの内側に延在しているチャネルとの間に流体接続を確立することができる。
【００２２】
例えば、冷却剤は、取付コネクタに接続されている第１の冷却剤配管を介して供給可能とされる。この場合には、第１の冷却剤配管が、例えば負荷ラインの導電性配線ケースの内部に延在しているので、冷却剤配管が、負荷ラインの内側で案内され、負荷ラインにおいて熱を吸収することができる。負荷ラインに接続するために、負荷ラインの内部において接点要素に案内される冷却剤配管を備えることによって、負荷ラインの導電性配線ケースが、例えば接点要素のシャンク部分に押し付けられ、例えばスリーブ要素によって押し付けられる。対照的に、冷却剤配管は、取付コネクタに取り付けられており、接点要素の内部において延在しているチャネルに流通可能に接続されている。
【００２３】
冷却剤回路を確立するために、接続要素が、好ましくは接点要素に取り付けられており、チャネルに流通可能に接続されており、第２の冷却剤配管が、接続要素に接続されている。第２の冷却剤配管は、例えば冷却剤を排出するために利用されるので、第１の冷却剤配管を介して冷却剤を供給すると共に第２の冷却剤配管を介して冷却剤を排出することによって、冷却剤回路を確立することができる。
【００２４】
接続要素は、プラスチック材料又は金属材料から作られている。接続要素は、例えばＬ字状の形態とされ、接続要素の内部に形成されていると共に接点要素のチャネルに流通可能に接続されている流路を備えているので、冷却剤をチャネルから排出することができる。
【００２５】
一の実施例では、プラグインコネクタ部品は、ケーブルに接続されており、接点要素に接続されている負荷ラインと少なくとも１つの冷却剤配管とが、ケーブルの内部において案内されている。プラグインコネクタ部品が例えば充電プラグとして形成されている場合には、ケーブルは、例えば充電ステーションに対する接続を確立するので、プラグインコネクタ部品は、電気自動車の例えば充電ソケットの形態をした関連する相手側プラグインコネクタ部品に差し込み可能とされるので、電気自動車の電池を充電するために、充電ステーションと電気自動車との間に電気的接続を確立することができる。
【００２６】
一の実施例では、負荷ラインが、導電性配線ケースを備えており、冷却剤配管が、導電性配線ケースの内部において案内されている。導電性配線ケースは、銅製のストランド網組（又は銅製のストランド）によって実現されており、負荷電流を伝送するために利用される。冷却剤配管が、導電性配線ケースと同軸に且つ導電性配線ケースの内側において延在しているので、冷却剤配管の内部を流れる冷却剤は、少なくとも負荷ラインに沿って熱を低減させるために、負荷ラインにおいて熱を直接吸収することができる。冷却剤は、負荷ラインの内側に配置された冷却剤配管を通じて流れ、負荷ラインに接続されている接点要素を通過するので、負荷ラインと負荷ラインに接続されている接点要素との両方において冷却が実現される。
【００２７】
導電性配線ケースは、例えば接点要素のシャンク部分に押し付けられているので、導電性配線ケースは、少なくとも部分的にシャンク部分の周囲を囲んでいる。従って、シャンク部分は、導電性配線ケースと電気的に接触するので、例えばシャンク部分に押し付けられているスリーブ要素によって確実に接続することができる。
【００２８】
負荷ラインの導電性配線ケースがシャンク部分に押し付けられており、好ましくは、負荷ラインの導電性配線ケースに案内される冷却剤配管は、シャンク部分と同軸に配置された径方向内方の取付コネクタに取り付けられるので、接点要素に接続される。取付コネクタは、冷却剤配管を接点要素の内部において延在しているチャネルに流通可能に接続しているので、冷却剤を冷却剤配管を介してチャネルの内部に流入させることができる。
【００２９】
冷却剤回路を確立するために、好ましくは、さらなる冷却剤配管が、ケーブルの内部に案内されており、負荷ラインの外側で延在しており、且つ、負荷ラインとは別体でケーブルの内部に配設されている。さらなる冷却剤配管が、接点要素に接続されており、且つ、チャネルに流通可能に接続されているので、例えばさらなる冷却剤配管を介して接点要素のチャネルから冷却剤を排出することができる。
【００３０】
冷却のために利用される冷却剤は、例えば気体又は液体とされる。例えば冷却剤回路を確立するためにチャネルの内部に導入されチャネルから排出される空気流が挙げられる。
【００３１】
本明細書で説明したタイプのプラグインコネクタ部品は、例えば電気自動車を充電するための充電システムの充電プラグ又は充電ソケットとして利用可能とされる。このようなプラグインコネクタ部品は、例えば充電ケーブルに配置されており、充電ケーブルを介して充電ステーションに接続されている。このような充電プラグは、充電ステーションと電気自動車との間において充電電流を伝送するために、例えば電気自動車の充電ソケットに差し込むことができる。
【００３２】
本発明の基本的な技術的思想について、図面に表わす実施例を参照しつつ以下に詳述する。
【図面の簡単な説明】
【００３３】
【図１】電気自動車を充電するための充電システムを表わす。
【図２】充電プラグの形態をしたプラグインコネクタ部品を表わす。
【図３】２つの接点要素を具備するプラグインコネクタ部品のサブアセンブリを表わす。
【図４】接点要素の別の図である。
【図５】接点要素の別の分解図である。
【図６】図５の断面Ａ−Ａに沿った断面図である。
【図７】図５の断面Ａ−Ａに沿った他の断面図である。
【発明を実施するための形態】
【００３４】
図１は、電動車両４（電気自動車とも呼称される）を充電するために利用される充電ステーション１を表わす。充電ステーション１は、充電電流を交流電流又は直流電流として供給するように構成されており、ケーブル２を有している。ケーブル２の一方の端部２０１は、充電ステーション１に接続されており、ケーブル２の他方の端部２００は、充電プラグの形態をしたプラグインコネクタ部品３に接続されている。
【００３５】
拡大図である図２に表わすように、プラグインコネクタ部品３は、ハウジング３０にプラグイン部分３００，３０１を有している。プラグイン部分３００，３０１によって、プラグインコネクタ部品３は、電動車両４の充電ソケットの形態をした関連する相手側プラグインコネクタ部品４０とプラグインした状態で係合可能とされる。このようにして、充電ステーション１は、充電電流を電流ステーション１から電動車両４に伝送するために、電動車両４と電気的に接続可能とされる。
【００３６】
例えば高速充電プロセスに関連して、電動車両４を急速充電するためには、伝送された充電電流は、高いアンペア、例えば２００Ａより大きい、任意には３５０Ａ以上の電流でとされる。このような高い充電電流を考慮して、熱損失がケーブル２のみならず、プラグインコネクタ部品３及び充電ソケット４０にも発生する。これにより、ケーブル２、プラグインコネクタ部品３、及び充電ソケット４０が加熱される。
【００３７】
プラグインコネクタ部品３は、プラグイン部分３００，３０１に複数の接点要素を備えている。例えば、充電電流を直流電流の形態で伝送するための２つの接点要素が、プラグイン部分３０１に配置されている一方、例えば、アースＰＥ接点と制御信号を伝送するための信号接点とを提供するための接点要素が、プラグイン部分３００に配置されている。
【００３８】
図３は、プラグイン部分３００，３０１が形成されているハウジング部品３０２を具備するプラグインコネクタ部品３のサブアセンブリの実施例を表わす。とりわけ２つの接点要素３１，３２がハウジング部品３０２に配置されており、接点要素３１，３２の接点部分３１０，３２０（図４参照）は、下側プラグイン部分３０１の内部に突出しており、プラグインコネクタ部品３が関連する相手側プラグインコネクタ部品４０に差し込まれた場合に相手側プラグインコネクタ部品４０の相手側接点要素４００に電気的に接触する（図１参照）。接点要素３１，３２の接点部分３１０，３２０は、接触ソケットとして形成されているので、接触ピンとして形成されている相手側接点要素４００と係合するので、接点要素３１，３２と相手側接点要素４００との間に電気的接触が確立される。
【００３９】
図４〜図７に表わす接点要素３１，３２の実施例では、ケーブル２の内部に案内されている負荷ライン２１，２２が、接点要素３１，３２に接続されている。負荷ライン２１，２２は、充電ステーション１と電気自動車４との間において電流（直流電流）を伝送するために利用され、負荷ライン２０，２１それぞれが、銅製のストランド網組の形態をした導電性配線ケース２１０，２２０を備えている。導電性配線ケース２１０，２２０は、例えば電気絶縁体に囲まれており、関連する接点要素３１，３２のシャンク部分３１２に取り付けられているので、接点要素３１，３２に電気的に接触している。
【００４０】
導電性配線ケース２１０，２２０をシャンク部分３１２に機械的に堅固に接続するために、金属製の円筒状スリーブ要素３１４が、シャンク部分３１２に取り付けられている。シャンク部分３１２に押し付けられた導電性配線ケース２１０，２２０が、円筒状スリーブ要素３１４によってシャンク部分３１２に押し付けられている。この場合には、円筒状スリーブ要素３１４は、シャンク部分３１２に取り付けられた後に、適切な圧縮工具を利用することによって、導電性配線ケース２１０，２２０を介在させつつシャンク部分３１２に押し付けられる。
【００４１】
冷却剤配管２３，２４が、導電性配線ケース２１０，２２０の内側に案内されており、負荷ライン２１，２２の内側に負荷ライン２１，２２と同軸に受容され且つ案内されている。このようにして、冷却剤配管２３，２４を通じて流れる冷却剤は、負荷ライン２１，２２において熱を直接吸収し、負荷ライン２１，２２からの熱を発散させるので、ケーブル２の延在している負荷ライン２１，２２の長さに沿った負荷ライン２１，２２の（過度な）加熱を防止することができる。
【００４２】
接点要素３１に関する図５〜図７に表わすように、接点要素３１，３２それぞれの冷却剤配管２３，２４は、取付コネクタ３１３とシャンク部分３１２との間に形成されている周囲間隙３１９に冷却剤配管２３，２４を差し込むことによって、円筒状のシャンク部分３１２の径方向内側に配置されている取付コネクタ３１３に取り付けられている。従って、冷却剤配管２３，２４は、接点要素３１，３２のチャネル３１７に流通可能に接続されているので、冷却剤配管２３，２４とチャネル３１７との間において冷却剤を流すことができる。
【００４３】
接点要素３１，３２は、シリンダー軸線を形成している長手方向軸線Ｌを具備する略円筒状の基本形状を有している。接点要素３１，３２は、関連する相手側接点要素４００と長手方向軸線Ｌに沿ってプラグイン係合可能とされ、負荷ライン２１，２２は、長手方向軸線Ｌに沿って接点要素３１，３２と隣接している。
【００４４】
接点要素３１，３２は、金属体として一体に形成されており、接点部分３１０，３２０に隣接している円筒状部分３１１を備えている。シャンク部分３１２は、円筒状部分３１１から軸線方向に突出している。チャネル３１７は、接点要素３１，３２において、例えば穴として、円筒状のシャンク部分３１２及び円筒状部分３１１と同軸に形成されており、接点要素３１，３２の内側に延在している。従って、熱は、チャネル３１７を通じて流れる冷却剤によって、接点要素３１，３２において吸収され、接点要素３１，３２から発散される。
【００４５】
Ｌ字状ピースの形態をした接続要素３１５は、円筒状部分３１１に取り付けられており、接続要素３１５は、流れチャネル３１８を備えている。さらなる冷却剤配管２５，２６は、接続要素３１５に形成されている取付コネクタ３１６に取り付けられているので、さらなる冷却剤配管２５，２６が、チャネル３１７に流通可能に接続されており、冷却剤回路が形成されている。
【００４６】
例えば図６及び図７に表わすように、冷却剤は、負荷ライン２１，２２の内側に且つ負荷ライン２１，２２と同軸に配設されている冷却剤配管２３，２４を介して供給されるので、流れ方向Ｆ１においてチャネル３１７の内部に流入することができる。冷却剤は、接続要素３１５を介してチャネル３１７から流出し、流れ方向Ｆ２においてさらなる冷却剤配管２５，２６を介して排出されるので、その結果として接点要素３１，３２を通じて冷却剤を流すことができる。
【００４７】
冷却剤流れが、負荷ライン２１，２２と負荷ライン２１，２２に接続されている接点要素３１，３２との両方において熱を吸収する。例えば空気のようなガス状流体を冷却剤として利用することができるが、（非導電性の）冷却剤液体を利用することが考えられると共に利用可能でもある。
【００４８】
冷却剤配管２３，２４は、接点要素３１，３２に電気的に接続されている負荷ライン２１，２２の同軸に且つ負荷ライン２１，２２の内側に配設されているが、接点端子３１，３２の接続要素３１５に接続されているさらなる冷却剤配管２５，２６は、負荷ライン２１，２２の外側で延在している。負荷ライン２１，２２は、負荷ライン２１，２２の内部で案内される冷却剤配管２３，２４を有しており、さらなる冷却剤配管２５，２６は、ケーブル２の内側に配設されているので、充電ステーション１からプラグインコネクタ部品３に至るまで延在している。
【００４９】
本発明の基本となる技術的思想は、上述の実施例に限定される訳ではなく、全く異なる実施例によっても原理的に実施可能である。
【００５０】
本明細書で説明したタイプのプラグインコネクタ部品は、電気自動車を充電するための充電システムにおいて利用可能とされる。しかしながら、関連する相手側プラグインコネクタ部品にプラグイン接続するための他の用途においても、本明細書で説明したタイプのプラグインコネクタ部品を利用することが考えられると共に利用可能でもある。
【００５１】
冷却剤を導くためのチャネルが接点要素に直接作られているので、接点要素を直接冷却することができる。従って、接点要素において熱を効率的に吸収し、接点要素から当該熱を効率的に排出することができる。
【００５２】
冷却剤配管が負荷ラインの内側にも延在しているので、負荷ラインにおいても熱を効率的に吸収することができる。冷却剤配管が、負荷ラインと同軸に且つ負荷ラインの内側に延在しているので、冷却剤配管は、負荷ラインの導電性配線ケースの内側に広範囲にわたって配置されている。これにより、熱を冷却剤配管及び当該冷却剤配管で導かれた冷却剤に効率的に導くことができる。
【００５３】
直流電流を伝送するために利用される接点要素の冷却について上記の如く説明したが、これに限定される訳ではない。原則として、本明細書で説明したタイプの冷却は、交流電流を伝送するために利用される接点要素にも適用することができる。
【符号の説明】
【００５４】
１  充電ステーション
２  ケーブル
３  プラグインコネクタ部品
４  電動車両（電気自動車）
２１  負荷ライン
２２  負荷ライン
２３  冷却剤配管
２４  冷却剤配管
２５  さらなる冷却剤配管
２６  さらなる冷却剤配管
３０  ハウジング
３１  接点要素
３２  接点要素
４０  相手側プラグインコネクタ部品
２００  （ケーブル２の）他方の端部
２０１  （ケーブル２の）一方の端部
２１０  （負荷回線２１の）導電性配線ケース
２２０  （負荷回線２２の）導電性配線ケース
３００  （プラグインコネクタ部品３の）プラグイン部分
３０１  （プラグインコネクタ部品３の）プラグイン部分
３０２  （プラグインコネクタ部品３の）ハウジング部品
３１０  （接点要素３１の）接点部分
３１１  円筒状部分
３１２  （接点要素３１，３２の）シャンク部分
３１３  取付コネクタ
３１４  円筒状スリーブ要素
３１５  （接点端子３１，３２の）接続要素
３１６  取付コネクタ
３１７  （接点要素３１，３２の）チャネル
３１８  流れチャネル
３１９  周囲間隙
３２０  （接点要素３２の）接点部分
４００  （相手側プラグインコネクタ部品４０の）相手側接点要素
Ｆ１  流れ方向
Ｆ２  流れ方向
Ｌ  長手方向軸線
【図１】
2019511093.tif 000003
【図２】
2019511093.tif 000004
【図３】
2019511093.tif 000005
【図４】
2019511093.tif 000006
【図５】
2019511093.tif 000007
【図６】
2019511093.tif 000008
【図７】
2019511093.tif 000009
【国際調査報告】
2019511093.tif 000010
2019511093.tif 000011
2019511093.tif 000012
2019511093.tif 000013
2019511093.tif 000014
2019511093.tif 000015